(57)【要約】【課題】幅の狭い木材の補強にも使用可能であり、かつ、ビスや釘等の固定部材の打込み角度を安定させ、金物の全長を短くする。【解決手段】長手方向に所定間隔でビスや釘等の固定部材２が貫通する複数の貫通孔１１ａ，１１ｂが設けられており、その複数の貫通孔１１ａ，１１ｂの貫通方向は、少なくとも２方向以上あって交差しており、木材に対し当該複数の貫通孔１１ａ，１１ｂに固定部材２が２方向以上で貫通し、且つ、交差して固定される一方、長手方向の両側の端部の内、少なくともいずれか一方の端部には、補強金物側ネジ部である雌ネジ部１１ｃが設けられており、複数の貫通孔１１ａ，１１ｂは、各長尺補強金物１１の長手方向に異なる方向毎に互い違いに設けられており、複数の貫通孔１１ａ，１１ｂの貫通方向の交差角度は９０度以外の角度である。【選択図】図１
2018021400.tif 000002
【特許請求の範囲】
【請求項１】
長手方向に所定間隔でビスや釘等の固定部材が貫通する複数の貫通孔が設けられており、その複数の貫通孔の貫通方向は、少なくとも２方向以上あって、交差しており、木材に対し当該複数の貫通孔に前記固定部材が２方向以上で貫通し、且つ、交差して固定される一方、長手方向の両側の端部の内、少なくともいずれか一方の端部には、補強金物側ネジ部が設けられていることを特徴とする長尺補強金物。
【請求項２】
請求項１記載の長尺補強金物において、
前記複数の貫通孔は、
前記各長尺補強金物の長手方向に異なる方向毎に互い違いに設けられており、
複数の貫通孔の貫通方向の交差角度は、９０度以外の角度であることを特徴とする補強金物。
【請求項３】
請求項１または請求項２記載の一対の長尺補強金物と、
両端部にそれぞれ逆方向の連結金物側ネジ部が形成され、その両端部の各連結金物側ネジ部に前記長尺補強金物の補強金物側ネジ部を差込み、当該引寄せ連結金物を一方向に回転させると両側の前記長尺補強金物を引寄せるように連結する引寄せ連結金物とを有し、
前記引寄せ連結金物の長手方向の中間には、少なくとも１箇所以上、当該引寄せ連結金物を回転させるための回転用係合孔を設け、
前記引寄せ連結金物の両側の各連結金物側ネジ部に前記長尺補強金物の補強金物側ネジ部を差込み、前記回転用係合孔に工具等を入れて一方向に回転させると、前記連結金物側ネジ部と前記補強金物側ネジ部とが螺合し、前記引寄せ連結金物の両側の前記長尺補強金物を引寄せるように構成されていることを特徴とする補強金物セット。
【請求項４】
請求項３記載の補強金物セットにおいて、
前記引寄せ連結金物の前記回転用係合孔は、
前記引寄せ連結金物の長手方向の中間に所定間隔離して複数設けられており、
隣接する前記各回転用係合孔の貫通方向同士がなす角度は、９０度未満であることを特徴とする補強金物セット。
【請求項５】
請求項３または請求項４記載の補強金物セットを使用して木材同士の接合を補強する木材の補強構造であって、
接合すべき木材の角部または外側面には、それぞれ、前記補強金物セットを収容するため長手方向に延びる金物収容溝が形成され、その金物収容溝には前記引寄せ連結金物によって連結された前記長尺補強金物が収容され、
前記金物収容溝に収容された前記長尺補強金物の前記複数の貫通孔に前記固定部材を通し、前記複数の貫通孔に通された前記固定部材同士がなす角度は９０度未満で前記各長尺補強金物が前記接合すべき木材に固定され、
前記各長尺補強金物同士を連結している前記引寄せ連結金物が回転させられることによって前記接合すべき木材に固定された前記各長尺補強金物が引寄せられていることを特徴とする補強金物セットを使用した木材の補強構造。
【請求項６】
請求項３または請求項４記載の補強金物セットを使用して木材同士の接合を補強する木材の補強方法であって、
前記接合すべき木材の角部または外側面に、それぞれ、前記補強金物セットを収容するため長手方向に延びる金物収容溝を設けると共に、その金物収容溝に前記引寄せ連結金物によって連結された前記長尺補強金物を収容し、
前記金物収容溝にそれぞれ収容した前記各長尺補強金物は、それぞれの前記複数の貫通孔に前記固定部材を通し、前記複数の貫通孔に通された前記固定部材同士がなす角度は９０度未満で前記接合すべき木材に固定し、
前記各長尺補強金物同士を連結している前記引寄せ連結金物を回転させて前記接合すべき木材に固定された前記各長尺補強金物を引寄せることを特徴とする補強金物セットを使用した木材の補強方法。
【請求項７】
請求項１または請求項２記載の長尺補強金物と、
前記長尺補強金物の補強金物側ネジ部に螺合するボルトと、
柱が立設される天板を有すると共に、その天板には前記ボルトが挿通されるボルト孔が形成され、そのボルト孔に下方から前記ボルトを挿通し前記長尺補強金物の補強金物側ネジ部に螺合して前記天板上に前記長尺補強金物を固定することにより前記柱を立設させる柱脚金物と、
を備えたことを特徴とする柱脚金物セット。
【請求項８】
請求項７記載の柱脚金物セットを使用した柱の立設構造であって、
前記柱の角部または外側面に、それぞれ、前記長尺補強金物を収容するため長手方向に延びる金物収容溝を設けると共に、各金物収容溝に前記長尺補強金物を収容し、
前記各金物収容溝にそれぞれ収容した前記長尺補強金物は、それぞれの前記複数の貫通孔に前記固定部材を通して、前記複数の貫通孔に通された前記固定部材同士がなす角度は９０度未満で前記柱に固定し、
前記柱を前記柱脚金物の天板上に立設すると共に、その天板に形成された前記ボルト孔に下方から前記ボルトを挿通し前記長尺補強金物の補強金物側ネジ部に螺合して前記天板上に前記柱を固定したことを特徴とする柱脚金物セットを使用した柱の立設構造。
【請求項９】
請求項７記載の柱脚金物セットを使用した柱の立設方法であって、
前記柱の角部または外側面に、それぞれ、前記長尺補強金物を収容するため長手方向に延びる金物収容溝を設けると共に、各金物収容溝に前記長尺補強金物を収容し、
前記各金物収容溝にそれぞれ収容した前記長尺補強金物は、それぞれの前記複数の貫通孔に前記固定部材を通して、前記複数の貫通孔に通された前記固定部材同士がなす角度は９０度未満で前記柱に固定し、
前記柱を前記柱脚金物の天板上に立設すると共に、その天板に形成された前記ボルト孔に下方から前記ボルトを挿通し前記長尺補強金物の補強金物側ネジ部に螺合して前記天板上に前記柱を固定することを特徴とする柱脚金物セットを使用した柱の立設方法。
【発明の詳細な説明】
【技術分野】
【０００１】
本発明は、梁等の横架材を介した柱同士の接合や、横架材を介さない柱同士、柱を介した横架材同士、柱を介さない横架材同士、柱と基礎との接合等に使用される長尺補強金物、補強金物セット、その補強金物セットを使用した木材の補強構造および補強方法、柱脚金物セット、その柱脚金物セットを使用した柱の立設構造および立設方法
に関する。
【背景技術】
【０００２】
特許文献１，２には、柱材と基礎との固定や、柱材と横架材、さらには柱材同士の接合に補強等を目的として引寄せ金物等の各種の補強金物が使用されている。
【０００３】
このような補強金物では、補強金物と木材との強固に固定するため多数のビス孔が設けられているが、例えば、地震や強風等によって建築物に対し大きな外力が作用した際に、補強金物と木材とを固定している多数のビス等の固定部材の周辺から柱材に割裂等が発生しないように、木材に打込むビス等の固定部材が補強金物の長手方向に一直線上に並ばないようにビス孔が複数列になるように設けている。
【０００４】
例えば、特許文献１ではビス孔を平行に配置して２列（例えば、図１参照。）、特許文献２ではビス孔をジグザグ状に配置して２列（例えば、図１や図３参照。）設けている。
【先行技術文献】
【特許文献】
【０００５】
【特許文献１】特開２０１２−１９３５４６号公報
【特許文献２】特開２００３−０５６０７７号公報
【発明の概要】
【発明が解決しようとする課題】
【０００６】
しかしながら、上記特許文献１，２に記載の補強金物では、上述のように補強金物の長手方向に延びるビス孔の列を短手方向に複数列設けているため、補強金物の短手方向の幅が大きくなり、幅の狭い木材の補強には使用できない、という問題がある。
【０００７】
また、上記特許文献１，２に記載の補強金物では、補強金物が木材に接する厚さが薄い平板部に複数列のビス孔を設けているため、各ビス孔からビス等の固定部材を打込む際に、作業者の熟練度が低い場合には、固定部材の打込み角度（打込み方向）がバラバラとなり安定しない、という問題もある。
【０００８】
そこで、本発明はこのような課題に着目してなされたもので、幅の狭い木材の補強にも使用可能であり、かつ、ビスや釘等の固定部材の打込み角度を安定させ、金物の全長を短くすることができる長尺補強金物、補強金物セット、その補強金物セットを使用した木材の補強構造および補強方法、柱脚金物セット、その柱脚金物セットを使用した柱の立設構造および立設方法を提供することを目的とする。
【課題を解決するための手段】
【０００９】
前記課題を解決するため、本発明に係る長尺補強金物は、長手方向に所定間隔でビスや釘等の固定部材が貫通する複数の貫通孔が設けられており、その複数の貫通孔の貫通方向は、少なくとも２方向以上あって、交差しており、木材に対し当該複数の貫通孔に前記固定部材が２方向以上で貫通し、且つ、交差して固定される一方、長手方向の両側の端部の内、少なくともいずれか一方の端部には、補強金物側ネジ部が設けられていることを特徴とする。
ここで、前記長尺補強金物において、前記複数の貫通孔は、前記各長尺補強金物の長手方向に異なる方向毎に互い違いに設けられており、複数の貫通孔の貫通方向の交差角度は、９０度以外の角度にすると良い。
また、本発明に係る補強金物セットは、上述の一対の長尺補強金物と、両端部にそれぞれ逆方向の連結金物側ネジ部が形成され、その両端部の各連結金物側ネジ部に前記長尺補強金物の補強金物側ネジ部を差込み、当該引寄せ連結金物を一方向に回転させると両側の前記長尺補強金物を引寄せるように連結する引寄せ連結金物とを有し、前記引寄せ連結金物の長手方向の中間には、少なくとも１箇所以上、当該引寄せ連結金物を回転させるための回転用係合孔を設け、前記引寄せ連結金物の両側の各連結金物側ネジ部に前記長尺補強金物の補強金物側ネジ部を差込み、前記回転用係合孔に工具等を入れて一方向に回転させると、前記連結金物側ネジ部と前記補強金物側ネジ部とが螺合し、前記引寄せ連結金物の両側の前記長尺補強金物を引寄せるように構成されていることを特徴とする。
ここで、前記補強金物セットにおいて、前記引寄せ連結金物の前記回転用係合孔は、前記引寄せ連結金物の長手方向の中間に所定間隔離して複数設けられており、隣接する各回転用係合孔の貫通方向は、それぞれ、異なる方向を向いているように構成すると良い。
また、本発明に係る補強金物セットを使用した木材の補強構造は、上述の補強金物セットを使用して木材同士の接合を補強する木材の補強構造であって、接合すべき木材の角部または外側面には、それぞれ、前記補強金物セットを収容するため長手方向に延びる金物収容溝が形成され、その金物収容溝には前記引寄せ連結金物によって連結された前記長尺補強金物が収容され、前記金物収容溝に収容された前記長尺補強金物の前記複数の貫通孔に前記固定部材を通し、前記複数の貫通孔に通された前記固定部材同士がなす角度は９０度未満で前記各長尺補強金物が前記接合すべき木材に固定され、前記各長尺補強金物同士を連結している前記引寄せ連結金物が回転させられることによって前記接合すべき木材に固定された前記各長尺補強金物が引寄せられていることを特徴とする。
また、本発明に係る木材の補強方法は、上述の補強金物セットを使用して木材同士の接合を補強する木材の補強方法であって、前記接合すべき木材の角部または外側面に、それぞれ、前記補強金物セットを収容するため長手方向に延びる金物収容溝を設けると共に、その金物収容溝に前記引寄せ連結金物によって連結された前記長尺補強金物を収容し、前記金物収容溝にそれぞれ収容した前記各長尺補強金物は、それぞれの前記複数の貫通孔に前記固定部材を通し、前記複数の貫通孔に通された前記固定部材同士がなす角度は９０度未満で前記接合すべき木材に固定し、前記各長尺補強金物同士を連結している前記引寄せ連結金物を回転させて前記接合すべき木材に固定された前記各長尺補強金物を引寄せることを特徴とする。
また、本発明に係る柱脚金物セットは、上述の長尺補強金物と、前記長尺補強金物の補強金物側ネジ部に螺合するボルトと、柱が立設される天板を有すると共に、その天板には前記ボルトが挿通されるボルト孔が形成され、そのボルト孔に下方から前記ボルトを挿通し前記長尺補強金物の補強金物側ネジ部に螺合して前記天板上に前記長尺補強金物を固定することにより前記柱を立設させる柱脚金物と、を備えたことを特徴とする。
また、本発明に係る柱脚金物セットを使用した柱の立設構造は、上述の柱脚金物セットを使用した柱の立設構造であって、前記柱の角部または外側面に、それぞれ、前記長尺補強金物を収容するため長手方向に延びる金物収容溝を設けると共に、各金物収容溝に前記長尺補強金物を収容し、前記各金物収容溝にそれぞれ収容した前記長尺補強金物は、それぞれの前記複数の貫通孔に前記固定部材を通して、前記複数の貫通孔に通された前記固定部材同士がなす角度は９０度未満で前記柱に固定し、前記柱を前記柱脚金物の天板上に立設すると共に、その天板に形成された前記ボルト孔に下方から前記ボルトを挿通し前記長尺補強金物の補強金物側ネジ部に螺合して前記天板上に前記柱を固定したことを特徴とする。
また、本発明に係る柱脚金物セットを使用した柱の立設方法は、上述の柱脚金物セットを使用した柱の立設方法であって、前記柱の角部または外側面に、それぞれ、前記長尺補強金物を収容するため長手方向に延びる金物収容溝を設けると共に、各金物収容溝に前記長尺補強金物を収容し、前記各金物収容溝にそれぞれ収容した前記長尺補強金物は、それぞれの前記複数の貫通孔に前記固定部材を通して、前記複数の貫通孔に通された前記固定部材同士がなす角度は９０度未満で前記柱に固定し、前記柱を前記柱脚金物の天板上に立設すると共に、その天板に形成された前記ボルト孔に下方から前記ボルトを挿通し前記長尺補強金物の補強金物側ネジ部に螺合して前記天板上に前記柱を固定することを特徴とする。
【発明の効果】
【００１０】
本発明の長尺補強金物、または補強金物セット、その補強金物セットを使用した木材の補強構造および補強方法、柱脚金物セット、その柱脚金物セットを使用した柱の立設構造および立設方法で使用される長尺補強金物は、長手方向に所定間隔でビスや釘等の固定部材が貫通する複数の貫通孔が設けられており、その複数の貫通孔の貫通方向は、少なくとも２方向以上あって交差している。
そのため、木材に対し長尺補強金物を固定する際は、複数の貫通孔に固定部材が２方向以上で貫通し、且つ、交差して固定されるので、長尺補強金物の短手方向の幅を小さくすることができ、幅の狭い木材の補強にも使用できると共に、ビスや釘等の固定部材の打込み角度を安定させることができ、また、金物の全長を短くすることができる。
【図面の簡単な説明】
【００１１】
【図１】（ａ）〜（ｃ）それぞれ本発明に係る実施形態１の補強金物セットを構成する長尺補強金物の正面図、Ａ−Ａ線断面図、Ｂ−Ｂ線断面図である。
【図２】（ａ）〜（ｄ）それぞれ本発明に係る実施形態１の補強金物セットを構成する引寄せ連結金物の正面図、Ｃ−Ｃ線断面図、Ｄ−Ｄ線断面図、Ｅ−Ｅ線断面図である。
【図３】本発明に係る実施形態１の補強金物セットの使用例１（高さ１８０ｍｍの場合）を示す斜視図である。
【図４】本発明に係る実施形態１の補強金物セットの使用例１を示す正面図である。
【図５】本発明に係る実施形態１の補強金物セットの使用例１の要部拡大部分断面図である。
【図６】（ａ）〜（ｃ）それぞれ図５におけるＦ−Ｆ線断面図、Ｇ−Ｇ線断面図、Ｈ−Ｈ線断面図である。
【図７】（ａ），（ｂ）それぞれ本発明に係る実施形態１の補強金物セットの使用例１で高さ１５０ｍｍと２１０ｍｍの場合における要部拡大斜視図である。
【図８】本発明に係る実施形態１の補強金物セットの使用例２を示す斜視図である。
【図９】本発明に係る実施形態１の補強金物セットの使用例２を示す正面図である。
【図１０】本発明に係る実施形態１の補強金物セットの使用例２の要部拡大部分断面図である。
【図１１】（ａ）〜（ｃ）それぞれ図１１におけるＩ−Ｉ線断面図、Ｊ−Ｊ線断面図、Ｋ−Ｋ線断面図である。
【図１２】（ａ）〜（ｄ）それぞれ本発明に係る実施形態２の補強金物セットを構成する引寄せ連結金物の正面図、Ｌ−Ｌ線断面図、Ｍ−Ｍ線断面図、Ｎ−Ｎ線断面図である。
【図１３】本発明に係る実施形態２の補強金物セットの使用例３を示す斜視図である。
【図１４】本発明に係る実施形態２の補強金物セットの使用例３の要部拡大部分断面図である。
【図１５】本発明に係る実施形態２の補強金物セットの使用例４を示す斜視図である。
【図１６】本発明に係る実施形態２の補強金物セットの使用例４の要部拡大部分断面図である。
【図１７】本発明に係る実施形態２の補強金物セットの使用例５を示す部分正面図である。
【図１８】本発明に係る実施形態３の補強金物セットを構成する柱脚金物の斜視図である。
【図１９】本発明に係る実施形態３の補強金物セットの使用例６を示す斜視図である。
【図２０】本発明に係る実施形態３の補強金物セットの使用例６の要部拡大部分断面図である。
【図２１】本発明に係る実施形態３の補強金物セットを構成する他の柱脚金物の斜視図である。
【図２２】本発明に係る実施形態３の補強金物セットの使用例７を示す斜視図である。
【図２３】本発明に係る実施形態３の補強金物セットの使用例７の要部拡大部分断面図である。
【発明を実施するための形態】
【００１２】
以下、本発明に係る長尺補強金物、補強金物セット、その補強金物セットを使用した木材の補強構造および補強方法、柱脚金物セット、その柱脚金物セットを使用した柱の立設構造および立設方法の実施の形態を、添付図面を参照しながら詳細に説明する。なお、下記に説明する実施の形態は、あくまで、本発明の一例であり、本発明は、下記に説明する実施の形態に限定されるものではない。
【００１３】
実施形態１．
まず、本発明に係る実施形態１の補強金物セット１について説明する。
＜実施形態１の補強金物セット１の構成＞
本発明に係る実施形態１の補強金物セット１は、２本の長尺補強金物１１と、1本の引寄せ連結金物１２と、ビスや釘等の固定部材２とを備えて構成される。
【００１４】
＜実施形態１の長尺補強金物１１の構成＞
長尺補強金物１１は、図１に示すように、長尺の金属製の丸鋼（棒状体）から構成されており、その長手方向に所定間隔でビスや釘等の固定部材２が貫通する複数の貫通孔１１ａ，１１ｂが設けられ、その複数の貫通孔１１ａ，１１ｂの貫通方向は、α方向とβ方向の２方向で交差するように設けられている。尚、本実施形態１では、長尺補強金物１１は、例えば、直径２５ｍｍで、長さは４００ｍｍの丸鋼を使用しているが、あくまで一例であり、これに限定されるものではない。
【００１５】
つまり、本実施形態１の長尺補強金物１１の長手方向には、図１（ｂ）に示すようにα方向を向く複数（図１では、例えば、１４個。）の貫通孔１１ａと、図１（ｃ）に示すようにβ方向を向く複数（図１では、例えば、１４個。）の貫通孔１１ｂとが、図１（ａ）に示すように所定間隔ｈ１だけずれ、かつ、それぞれ所定間隔ｈ２で形成されている。
【００１６】
ここで、α方向の貫通孔１１ａと、β方向の貫通孔１１ｂとは、それぞれ、図１（ｂ），（ｃ）に示すように円柱状の長尺補強金物１１の中心を通って、交差角度が９０度以外の例えば約６０度で交差している。
【００１７】
そのため、貫通孔１１ａおよび貫通孔１１ｂにビスや釘等の固定部材２を貫通させて長尺補強金物１１を木材に取り付ける場合、後述するように固定部材２が円柱状の長尺補強金物１１の中心を通り、かつ、交差角度約６０度で交差して木材に打込まれることになる。
【００１８】
また、本実施形態１の長尺補強金物１１の長手方向の両側の端部の内、少なくともいずれか一方の端部には、引寄せ連結金物１２の雄ネジ部１２ａに螺合する補強金物側ネジ部である雌ネジ部１１ｃが形成されている。尚、本実施形態１では、雌ネジ部１１ｃは、図１（ａ）に示すように長尺補強金物１１の図上、下側の端部のみに設け、上側の端部には設けられていないが、上側の端部にも設けるように構成しても勿論良い。また、本実施形態１等では、長尺補強金物１１の端部に設ける補強金物側ネジ部は、雌ネジ部１１ｃで説明するが、引寄せ連結金物１２の両端部に設けられる連結金物側ネジ部が雌ネジ部であれば、雄ネジ部を設けるようにする。
【００１９】
＜実施形態１の引寄せ連結金物１２の構成＞
実施形態１の引寄せ連結金物１２は、図２（ａ）に示すように、両端部にそれぞれ逆方向の連結金物側ネジ部である雄ネジ部１２ａ，１２ｂが形成された円柱状の鋼材で形成されており、その両端部の各雄ネジ部１２ａ，１２ｂを長尺補強金物１１の端部の補強金物側ネジ部である雌ネジ部１１ｃに差込み、当該引寄せ連結金物１２を一方向に回転させると両側の長尺補強金物１１を引寄せるように連結するように構成されている。尚、実施形態１では、引寄せ連結金物１２の直径は、例えば、１８ｍｍで、その全長は約２５０ｍｍとしているが、これに限定されるものではない。
【００２０】
また、引寄せ連結金物１２の長手方向における両端の雄ネジ部１２ａ，１２ｂの間には、外周面にネジ部が形成されていない連結金物本体１２ｃが設けられており、連結金物本体１２ｃの中央には、長手方向に所定間隔だけ離間させて、当該引寄せ連結金物１２を回転させる際に図示しない工具の先端を挿入する複数の回転用係合孔１２ｄ，１２ｅ，１２ｆが形成されている。
【００２１】
そして、本実施形態１の引寄せ連結金物１２では、複数の回転用係合孔１２ｄ，１２ｅ，１２ｆは、図２（ａ）〜（ｄ）に示すように、隣接する各回転用係合孔１２ｄ，１２ｅ，１２ｆはそれぞれ引寄せ連結金物１２の中心を通り、しかも各回転用係合孔１２ｄ，１２ｅ，１２ｆの貫通方向同士がなす角度は、９０度未満、例えば、６０度に形成されている。
【００２２】
そのため、後述する本実施形態１の補強金物セット１の使用例で説明するように、本実施形態１の補強金物セット１を木材に設けた補強金物セット収容溝に収容させて、引寄せ連結金物１２を回転させる場合に、各回転用係合孔１２ｄ，１２ｅ，１２ｆに先端部を差し込んだ回転工具の回転角が制限されるが、６０度ずつずれた３つの回転用係合孔１２ｄ，１２ｅ，１２ｆによって、常に３つの回転用係合孔１２ｄ，１２ｅ，１２ｆのいずれかが外側を向くので、回転用係合孔の貫通方向が一方向の場合よりも作業性を向上させることができる。尚、回転用係合孔１２ｄ，１２ｅ，１２ｆの数は、本発明であれば１つ以上であれば良いが、複数以上で、かつ、異なる方向を向くように設けることが作業性の点で望ましい。
【００２３】
＜実施形態１の補強金物セット１の使用例１＞
次に、以上のように構成された長尺補強金物１１および引寄せ連結金物１２を備えた実施形態１の補強金物セット１の使用例１について説明する。
【００２４】
図３は、実施形態１の補強金物セット１の使用例１を示す斜視図、図４は、使用例１の正面図、図５は、使用例１の要部拡大部分断面図、図６（ａ）〜（ｃ）は図５におけるＦ−Ｆ線断面図、Ｇ−Ｇ線断面図、Ｈ−Ｈ線断面図である。
【００２５】
図３〜図６に示すように補強金物セット１の使用例１は、梁３を介し上下の柱４，４を引寄せて補強する例であり、使用例１では、上下の各柱４，４の対角線上の角部４ａ，４ａにそれぞれ補強金物セット１を収容するため長手方向に延びる金物収容溝４ａ１，４ａ１を形成すると共に、横架材である梁３にも各柱４，４の対角線上の角部４ａ，４ａの金物収容溝４ａ１，４ａ１それぞれと連続するように金物収容溝３ｂ１，３ｂ１を形成し、図示しない金物等を利用して所定の方法で梁３を介し上下の柱４，４を接合する。尚、図３〜図６に示す使用例１の梁３は、高さが例えば１８０ｍｍとする。
【００２６】
次に、接合され一直線上に連続した上下の柱４，４および梁３の金物収容溝４ａ１，４ａ１に、引寄せ連結金物１２の両側にそれぞれ長尺補強金物１１を連結させた状態の実施形態１の補強金物セット１を収容する。つまり、使用例１では、図３〜図５に示すように、実施形態１の補強金物セット１を２セット使用して、上下の柱４，４の対角線上の金物収容溝４ａ１，４ａ１に収容する。
【００２７】
次に、金物収容溝４ａ１，４ａ１に収容した補強金物セット１両側の長尺補強金物１１，１１の複数の貫通孔１１ａ，１１ｂそれぞれに図６（ａ），（ｂ）等に示すように固定部材２を通して、長尺補強金物１１，１１を柱４，４の対角線上の金物収容溝４ａ１，４ａ１に固定する。
【００２８】
そのため、上下の柱４，４の対角線上の金物収容溝４ａ１，４ａ１で通した固定部材２同士は、図６（ａ）〜（ｃ）等に示すように、長尺補強金物１１の中心を通り、かつ、ほぼ６０度の角度で交差して固定されるので、長尺補強金物１の短手方向の幅である直径を小さくすることができ、幅の狭い木材の補強にも使用できると共に、長尺補強金物１の全長を短くすることができる。
【００２９】
また、ビスや釘等の固定部材２の打込み角度は、長尺補強金物１１の長手方向に所定間隔でも設けた６０度の角度で交差する複数の貫通孔１１ａ，１１ｂの貫通方向であるα，β方向に案内されるので、固定部材２の打込み角度を安定させることができる。
【００３０】
次に、梁３を介して接合している上下の柱４，４を引寄せる為、上下の柱４，４の対角線上に配置した２組の補強金物セット１の引寄せ連結金物１２の複数の回転用係合孔１２ｄ，１２ｅ，１２ｆに順次、棒状の工具やドライバー等の工具の先端を差し入れて、引寄せ連結金物１２を回転させる。
【００３１】
すると、引寄せ連結金物１２の両側には、図２でも説明したように逆方向の雄ネジ部１２ａ，１２ｂが形成されているため、両雄ネジ部１２ａ，１２ｂに螺合している両側の長尺補強金物１１，１１を引寄せ連結金物１２の方に引寄せて補強することができる。
【００３２】
また、引寄せ連結金物１２の各回転用係合孔１２ｄ，１２ｅ，１２ｆの貫通方向は、６０度ずつずれており、いずれかの回転用係合孔１２ｄ，１２ｅ，１２ｆが常に外側を向くことになるので、引寄せ連結金物１２が上下の柱４，４の金物収容溝４ａ１，４ａ１に収容されその外側面３ｂ，３ｂから突出しない状態で、回転用係合孔１２ｄ，１２ｅ，１２ｆに棒状の工具やドライバー等の工具を差し入れて回転させる場合でも、凹んだ状態の金物収容溝３ｂ１，３ｂ１がそれほど邪魔にならずに回転させることが可能となり、作業性が向上する。
【００３３】
また、補強金物セット１は、接合した上下の柱４，４および梁３の対角線上の金物収容溝４ａ１，４ａ１に収容して使用されるため、図６（ａ）〜（ｃ）等に示すように、上下の柱４，４および梁３それぞれの外表面から出っ張ることがなくなり、他の接合金物等の配置に対する影響が少なくなるので、他の接合金物の設置箇所の自由度を向上させることができる。
【００３４】
図７（ａ），（ｂ）は、それぞれ本発明に係る実施形態１の接合金物セット１の使用例１で、高さが１５０ｍｍと、２１０ｍｍの梁３の接合に使用した場合の要部拡大斜視図である。
【００３５】
図３〜図５に示す高さ１８０ｍｍの梁３の場合、長尺補強金物１１と引寄せ連結金物１２との連結部分が柱４と梁３とのほぼ境界近辺に位置していたが、図７（ａ）に示す高さ１５０ｍｍの梁３では、図３〜図５に示す高さ１８０ｍｍの梁３よりも高さが小さくなるので、長尺補強金物１１と引寄せ連結金物１２との連結部分が柱４側に位置する一方、図７（ｂ）に示す高さ２１０ｍｍの梁３では、図３〜図５に示す高さ１８０ｍｍの梁３よりも高さが大きくなるので、長尺補強金物１１と引寄せ連結金物１２との連結部分が梁３側に位置することになる。
【００３６】
＜実施形態１の補強金物セット１の使用例２＞
次に、以上のように構成された長尺補強金物１１および引寄せ連結金物１２を備えた実施形態１の補強金物セット１の使用例２について説明する。
【００３７】
図８は本発明に係る実施形態１の接合金物セット１の使用例２を示す斜視図、図９は使用例２の正面図、図１０は、使用例２の要部拡大部分断面図、図１１（ａ）〜（ｃ）は図１０におけるＩ−Ｉ線断面図、Ｊ−Ｊ線断面図、Ｋ−Ｋ線断面図である。
【００３８】
図８〜図１１に示すように補強金物セット１の使用例２は、使用例１とは異なり、上下の各柱４，４の対向する外側面４ｂ，４ｂのほぼ中央にそれぞれ補強金物セット１を収容するため長手方向に延びる金物収容溝４ｂ１，４ｂ１を形成すると共に、横架材である梁３の外側面３ｂにも各柱４，４の対向する外側面４ｂ，４ｂの金物収容溝４ｂ１，４ｂ１それぞれと連続するように金物収容溝３ｂ２，３ｂ２を形成し、金物収容溝４ｂ１，４ｂ１および金物収容溝３ｂ２，３ｂ２に、引寄せ連結金物１２の両側にそれぞれ長尺補強金物１１を連結させた状態の実施形態１の補強金物セット１を収容する。
【００３９】
つまり、使用例２でも、図８〜図１０に示すように、実施形態１の補強金物セット１を２セット使用して、上下の各柱４，４および梁３の金物収容溝４ｂ１，４ｂ１および金物収容溝３ｂ２，３ｂ２に収容する。尚、図８〜図１１に示す使用例２の梁３でも、高さが例えば１８０ｍｍとする。
【００４０】
次に、金物収容溝４ｂ１，４ｂ１および金物収容溝３ｂ２，３ｂ２に収容した補強金物セット１の引寄せ連結金物１２の両側の長尺補強金物１１，１１において、図１１（ａ），（ｂ）等に示すように貫通方向が６０度の角度で交差する複数の貫通孔１１ａ，１１ｂそれぞれに固定部材２を通し、両側の長尺補強金物１１，１１を金物収容溝４ｂ１，４ｂ１に固定する。
【００４１】
そのため、上下の各柱４，４の対向する金物収容溝４ｂ１，４ｂ１で打込んだ固定部材２同士は、図１１（ａ）〜（ｃ）等に示すように、長尺補強金物１１の中心を通り、かつ、ほぼ６０度の角度で交差して固定されるので、使用例１の場合と同様に、長尺補強金物１の短手方向の幅である直径を小さくすることができ、幅の狭い木材の補強にも使用できると共に、長尺補強金物１の全長を短くすることができる。また、固定部材２の打込み角度が複数の貫通孔１１ａ，１１ｂの貫通方向であるα，β方向に案内されるので、固定部材２の打込み角度を安定させることができる。
【００４２】
また、この使用例２の場合も、使用例１の場合と同様に、上下の柱４，４を引寄せる場合は、６０度ずつ角度がずれた引寄せ連結金物１２の回転用係合孔１２ｄ，１２ｅ，１２ｆに順次、棒状の工具やドライバー等の工具の先端を差し入れて、引寄せ連結金物１２を回転させれば良いので、凹んだ状態の金物収容溝３ｂ１，３ｂ１がそれほど邪魔にならずに回転させることが可能となり、作業性が向上する。また、図１１（ａ）〜（ｃ）等に示すように、補強金物セット１は、上下の柱４，４の金物収容溝４ｂ１，４ｂ１および梁３の金物収容溝３ｂ２，３ｂ２に収容され、上下の柱４，４および梁３それぞれの外表面４ｂ，３ｂから出っ張ることがなくなるので、他の接合金物等の配置に対する影響が少なくなり、他の接合金物の設置箇所の自由度を向上させることができる。
【００４３】
尚、使用例２では、上下の各柱４，４の外側面４ｂおよび梁３の外側面３ｂに対向するように金物収容溝４ｂ１，４ｂ１と金物収容溝３ｂ２，３ｂ２とを設け、補強金物セット１を２組使用してそれぞれ収容するように説明したが、本発明では、上下の各柱４，４の外側面４ｂおよび梁３の外側面３ｂの片側に金物収容溝４ｂ１および金物収容溝３ｂ２を設け、補強金物セット１を１組だけ使用しても良い。尚、このことは、以下に説明する使用例でも同様である。
【００４４】
実施形態２．
次に、本発明に係る実施形態２の補強金物セット１’について説明する。
＜実施形態２の補強金物セット１’の構成＞
本発明に係る実施形態２の補強金物セット１’は、上述した実施形態１の長尺補強金物１１を２つと、実施形態１の引寄せ連結金物１２よりも短尺の引寄せ連結金物１２’を備えている。よって、長尺補強金物１１の説明は、省略する。
【００４５】
図１２（ａ）〜（ｄ）は、それぞれ本発明に係る実施形態２の補強金物セット１’を構成する引寄せ連結金物１２’の正面図、Ｌ−Ｌ線断面図、Ｍ−Ｍ線断面図、Ｎ−Ｎ線断面図である。
【００４６】
実施形態２の引寄せ連結金物１２’は、例えば、全長が１５５ｍｍであり、図２に示す全長２５０ｍｍの実施形態１の引寄せ連結金物１２とは全長が異なるだけで、実施形態１の引寄せ連結金物１２と同様に、引寄せ連結金物１２’の両端部にはそれぞれ逆方向の連結金物側ネジ部である雄ネジ部１２ａ’，１２ｂ’が形成されている共に、その間の連結金物本体１２ｃ’に複数の回転用係合孔１２ｄ’，１２ｅ’，１２ｆ’が形成されている。尚、実施形態１の引寄せ連結金物１２と同様、実施形態２の引寄せ連結金物１２’も、その全長はあくまで一例であり、この全長に限定されるものではない。
【００４７】
＜実施形態２の補強金物セット１’の使用例３＞
次に、以上のように構成された長尺補強金物１１および引寄せ連結金物１２’を備えた実施形態２の補強金物セット１’の使用例３について説明する。
【００４８】
図１３は、本発明に係る実施形態２の補強金物セット１’の使用例３を示す斜視図、図１４は、使用例３の要部拡大部分断面図である。
【００４９】
図１３および図１４に示すように補強金物セット１’の使用例３は、上述した使用例１，２とは異なり、梁３を介さずに直接、接合した上下の各柱４，４を引寄せて補強する例である。そのため、使用例３では、上下の各柱４，４の対角線上の角部４ａ，４ａにそれぞれ補強金物セット１を収容するため長手方向に延びる金物収容溝４ａ１，４ａ１を形成し、図示しない金物等を利用して所定の方法で梁３を介し上下の各柱４，４を接合する。
【００５０】
次に、一直線上に連続した上下の各柱４，４の金物収容溝４ａ１，４ａ１に、実施形態２の補強金物セット１’を収容する。つまり、使用例３では、図１３および図１４に示すように、実施形態２の補強金物セット１’を２セット使用し、梁３を介さず直接端面同士を接合した上下の各柱４，４の対角線上の金物収容溝４ａ１，４ａ１に収容する。
【００５１】
次に、上下の各柱４，４の金物収容溝４ａ１，４ａ１に収容した補強金物セット１’の引寄せ連結金物１２’両側の長尺補強金物１１，１１において、図６（ａ），（ｂ）等に示すように貫通方向が６０度の角度で交差する複数の貫通孔１１ａ，１１ｂそれぞれに固定部材２を通し、上下の各柱４，４の対角線上の金物収容溝４ａ１，４ａ１に固定する。
【００５２】
そのため、上下の各柱４，４の対向する金物収容溝４ａ１，４ａ１で打込んだ固定部材２同士は、使用例１の図６（ａ），（ｂ）等と同様に、長尺補強金物１１の中心を通り、かつ、ほぼ６０度の角度で交差して固定されるので、使用例１の場合と同様に、長尺補強金物１の短手方向の幅である直径を小さくすることができ、幅の狭い木材の補強にも使用できると共に、長尺補強金物１の全長を短くすることができる。また、固定部材２の打込み角度が複数の貫通孔１１ａ，１１ｂの貫通方向であるα，β方向に案内されるので、固定部材２の打込み角度を安定させることができる。
【００５３】
また、この使用例３の場合も、使用例１，２の場合と同様に、上下の柱４，４を引寄せる場合は、６０度ずつ角度がずれた引寄せ連結金物１２’の回転用係合孔１２ｄ’，１２ｅ’，１２ｆ’に順次、棒状の工具やドライバー等の工具の先端を差し入れて、引寄せ連結金物１２’を回転させれば良いので、作業性が向上すると共に、補強金物セット１’は上下の柱４，４の外表面４ｂから出っ張ることがなくなるので、他の接合金物等の配置に対する影響が少なくなり、他の接合金物の設置箇所の自由度を向上させることができる。
【００５４】
尚、使用例３では柱４と柱４を接合しているが、横架材同士を接合しても勿論良い。この場合、横架材の表面から補強金物セット１’が突出しないので、横架材の上に貼り付ける合板などの面材との納まりも向上する。
【００５５】
＜実施形態２の補強金物セット１’の使用例４＞
次に、以上のように構成された長尺補強金物１１および引寄せ連結金物１２’を備えた実施形態２の補強金物セット１’の使用例４について説明する。
【００５６】
図１５は、本発明に係る実施形態２の補強金物セット１’の使用例４を示す斜視図、図１６はその使用例４の要部拡大部分断面図である。
【００５７】
図１５および図１６に示すように補強金物セット１’の使用例４は、使用例３と同様に梁３を介さずに上下の各柱４，４を引寄せて補強する例であるが、使用例４では、使用例１とは異なり、上下の各柱４，４の対向する外側面４ｂ，４ｂのほぼ中央にそれぞれ補強金物セット１’を収容するための金物収容溝４ｂ１，４ｂ１を形成して、梁３を介さずに各柱４，４同士の接合を補強する例である。従って、梁３の有無と、引寄せ連結金物１２および引寄せ連結金物１２’の長さが異なる点を除けば、図８〜図１０に示す使用例２と同じである。
【００５８】
従って、この使用例４によれば、上下の各柱４，４の対向する金物収容溝４ｂ１，４ｂ１で打込んだ固定部材２同士は、図１１（ａ）〜（ｃ）等に示すように、長尺補強金物１１の中心を通り、かつ、ほぼ６０度の角度で交差して固定されるので、使用例１〜３の場合と同様に、長尺補強金物１の短手方向の幅である直径を小さくすることができ、幅の狭い木材の補強にも使用できると共に、長尺補強金物１の全長を短くすることができる。また、固定部材２の打込み角度が複数の貫通孔１１ａ，１１ｂの貫通方向であるα，β方向に案内されるので、固定部材２の打込み角度を安定させることができる。
【００５９】
また、この使用例４の場合も、使用例１〜３の場合と同様に、上下の柱４，４を引寄せる場合は、６０度ずつ角度がずれた引寄せ連結金物１２’の回転用係合孔１２ｄ’，１２ｅ’，１２ｆ’に順次、棒状の工具やドライバー等の工具の先端を差し入れて、引寄せ連結金物１２’を回転させれば良いので、作業性が向上すると共に、補強金物セット１は金物収容溝４ｂ１，４ｂ１に収容され、上下の柱４，４の外表面４ｂ，４ｂから出っ張ることがなくなるので、他の接合金物等の配置に対する影響が少なくなり、他の接合金物の設置箇所の自由度を向上させることができる。
【００６０】
尚、使用例４では、上述の使用例３と同様に柱４と柱４を接合しているが、横架材同士を接合しても勿論良い。この場合、横架材の表面から補強金物セット１’が突出しないので、横架材の上に貼り付ける合板などの面材との納まりも向上する。
【００６１】
＜実施形態２の補強金物セット１’の使用例５＞
図１７は、本発明に係る実施形態２の補強金物セット１’の使用例５を示す部分正面図である。
【００６２】
実施形態２の補強金物セット１’は、上述したように引寄せ連結金物１２’の長さが実施形態１の引寄せ連結金物１２の長さよりも短いので、図１７に示すように柱４の両側にそれぞれ横架材である梁３，３を対向するように接合した接合部分の補強例である。
【００６３】
この使用例５では、図１７に示すように、各梁３の対角線上の角部３ａ，３ａに金物収容溝３ａ１，３ａ１を形成すると共に、柱４の外側面４ｂ，４ｂに梁３の金物収容溝３ａ１，３ａ１と一直線上になるように金物収容溝４ｂ１，４ｂ１を形成して、金物収容溝３ａ１，３ａ１および金物収容溝４ｂ１，４ｂ１に実施形態２の補強金物セット１’を収容して、柱４を介し梁３，３を引寄せて補強する例で、図３〜図７等に示す実施形態１の補強金物セット１の使用例１における柱４と梁３とを入れ替えた例である。そのため、実施形態１の補強金物セット１の使用例１と同様の効果が得られる。
【００６４】
尚、使用例５では、各梁３の対角線上の角部３ａ，３ａに金物収容溝３ａ１，３ａ１を形成しそれぞれ補強金物セット１’の長尺補強金物１１を取り付けているが、図８等に示すように各梁３の外側面のほぼ中央に金物収容溝３ａ１，３ａ１を形成しそれぞれ長尺補強金物１１を取り付けても勿論良い。
【００６５】
実施形態３．
＜実施形態３の柱脚金物セット１”の構成＞
本発明に係る実施形態３の柱脚金物セット１”は、２つの長尺補強金物１１と、それらを引寄せながら連結する引寄せ連結金物１２，１２’とを使用する上記実施形態１，２の補強金物セット１，１’とは異なり、長尺補強金物１１を１つと、柱脚金物１３等から構成される。よって、長尺補強金物１１の説明は、省略する。
【００６６】
図１８は、本発明に係る実施形態３の柱脚金物セット１”を構成する柱脚金物１３の斜視図である。
【００６７】
図１８に示すように、実施形態３の柱脚金物セット１”を構成する柱脚金物１３は、天板１３ａと底板１３ｂとの間に湾曲した一対の湾曲板１３ｃ，１３ｃを接合して構成されている。
【００６８】
天板１３ａには、その対角線上にボルト５が挿通される一対のボルト孔１３ａ１，１３ａ１が設けられている一方、底板１３ｂには、中央にアンカーボルト等が挿通されるボルト孔１３ｂ１が設けられている。
【００６９】
図１９は、本発明に係る実施形態３の柱脚金物セット１”の使用例６を示す斜視図、図２０は、その使用例６の要部拡大部分断面図である。
【００７０】
実施形態３の柱脚金物セット１”の使用例６は、実施形態１の補強金物セット１の使用例１の上下の柱４，４と同様に、柱４の対角線上の角部４ａ，４ａにそれぞれ補強金物セット１を収容するため長手方向に延びる金物収容溝４ａ１，４ａ１を形成して、その金物収容溝４ａ１，４ａ１にそれぞれ長尺補強金物１１を対角線上に対向するように収容し、図６（ａ），（ｂ）等に示すように貫通方向が６０度の角度で交差する複数の貫通孔１１ａ，１１ｂにそれぞれビスや釘等の固定部材２を通し、上下の各柱４，４の対角線上の金物収容溝４ａ１，４ａ１に固定する。
【００７１】
そして、対角線上の金物収容溝４ａ１，４ａ１に長尺補強金物１１を固定した柱４を、例えば、柱脚金物１３の天板１３ａの上に２本のボルト５で固定し、その後、図示省略している１階の基礎等から延びるアンカーボルトに柱脚金物１３の底板１３ｂのボルト１３ｂ１で固定する。
【００７２】
そのため、実施形態３の柱脚金物セット１”の使用例６では、２つの長尺補強金物１１と、それらを引寄せながら連結する引寄せ連結金物１２，１２’とを使用する上記実施形態１，２の補強金物セット１，１’の使用例１〜５と同様に引寄せ効果が得られると共に、柱４の対角線上に設けた金物収容溝４ａ１，４ａ1で打込んだ固定部材２同士は、図６（ａ）〜（ｃ）等に示すように、長尺補強金物１１の中心を通り、かつ、ほぼ６０度の角度で交差して固定されるので、使用例１の場合と同様に、長尺補強金物１の短手方向の幅である直径を小さくすることができ、幅の狭い木材の補強にも使用できると共に、長尺補強金物１の全長を短くすることができる。また、固定部材２の打込み角度が複数の貫通孔１１ａ，１１ｂの貫通方向であるα，β方向に案内されるので、固定部材２の打込み角度を安定させることができる。
【００７３】
また、この使用例６の場合も、柱脚金物セット１”は柱４の金物収容溝４ａ１，４ａ１に収容され、柱４の外表面４ｂ，４ｂから出っ張ることがなくなるので、他の接合金物等の配置に対する影響が少なくなり、他の接合金物の設置箇所の自由度を向上させることができる。
【００７４】
尚、実施形態３の柱脚金物セット１”では、図１８に示す柱脚金物１３の代わりに、例えば、図２１に示すような対向する辺の中央側に一対のボルト孔１３ａ１’，１３ａ１’が設けた天板１３ａ’と、中央にボルト孔１３ｂ１’を設けた底板１３ｂ’とを平板状の一対の側板１３ｃ’，１３ｃ’で接合した柱脚金物１３’を使用して、図２２および図２３に示す使用例７のように柱４の対向する外側面４ｂ，４ｂに形成した金物収容溝４ｂ１，４ｂ１にそれぞれ長尺補強金物１１を対向するように収容し、図６（ａ），（ｂ）等に示すように貫通方向が６０度の角度で交差する複数の貫通孔１１ａ，１１ｂにそれぞれビスや釘等の固定部材２を通して固定すると共に、長尺補強金物１１を固定した柱４を柱脚金物１３の天板１３ａの上にボルト５で固定して、その後、図示省略している１階の基礎等から延びるアンカーボルトに柱脚金物１３の底板１３ｂのボルト１３ｂ１で固定するようにしても同様の効果が得られる。
【００７５】
尚、上記の説明では、長尺補強金物１１の貫通孔１１ａ，１１ｂの貫通方向がなす交差角度を６０度で説明したが、本発明では、これに限らず、３０度でも、４５度でも、６０度以外の角度でも良く、９０度以外の角度であることが望ましいが、９０度でも良い。また、引寄せ連結金物１２，１２’の隣接する回転用係合孔１２ｄ，１２ｅ，１２ｆ、１２ｄ’，１２ｅ’，１２ｆ’同士がなす交差角度も６０度で説明したが、本発明では、これに限らず、３０度でも、４５度でも、６０度前後の角度等でも９０度未満であれば良い。
【符号の説明】
【００７６】
１，１’  補強金物セット
１”  柱脚金物セット
１１  長尺補強金物
１１ａ，１１ｂ  貫通孔
１１ｃ  雌ネジ部（補強金物側ネジ部）
１２，１２’  引寄せ連結金物
１２ａ，１２ｂ、１２ａ’，１２ｂ’  雄ネジ部（連結金物側ネジ部）
１２ｃ，１２ｃ’  連結金物本体
１２ｄ，１２ｅ，１２ｆ、１２ｄ’，１２ｅ’，１２ｆ’  回転用係合孔
１３，１３’  柱脚金物
１３ａ，１３ａ’  天板
１３ｂ，１３ｂ’  底板
１３ｃ，１３ｃ  湾曲板
１３ｃ’，１３ｃ’  側板
２  固定部材
３  梁
３ａ  角部
３ａ１  金物収容溝
３ｂ  外側面
３ｂ１  金物収容溝
４  柱
４ａ  角部
４ａ１  金物収容溝
４ｂ  外側面
４ｂ１  金物収容溝
５  ボルト
【図１】
2018021400.tif 000003
【図２】
2018021400.tif 000004
【図３】
2018021400.tif 000005
【図４】
2018021400.tif 000006
【図５】
2018021400.tif 000007
【図６】
2018021400.tif 000008
【図７】
2018021400.tif 000009
【図８】
2018021400.tif 000010
【図９】
2018021400.tif 000011
【図１０】
2018021400.tif 000012
【図１１】
2018021400.tif 000013
【図１２】
2018021400.tif 000014
【図１３】
2018021400.tif 000015
【図１４】
2018021400.tif 000016
【図１５】
2018021400.tif 000017
【図１６】
2018021400.tif 000018
【図１７】
2018021400.tif 000019
【図１８】
2018021400.tif 000020
【図１９】
2018021400.tif 000021
【図２０】
2018021400.tif 000022
【図２１】
2018021400.tif 000023
【図２２】
2018021400.tif 000024
【図２３】
2018021400.tif 000025